(57)【要約】      （修正有）【課題】各省エネ行動によりどれくらいの電力量又は電力量料金を節約できるのかを一見して把握でき、また、どの省エネ行動を優先的に行うべきかを把握できる省エネ行動ナビゲーションシートを提供する。【解決手段】建物内の場所名と、軸方向の長さでその場所にて節約可能な単位時間当たり電力量とを表した第一場所軸と、時刻を目盛にて表す第一時間軸と、取るべき省エネ行動を第一場所軸と第一時間軸により特定される一定領域に示すための第一省エネ行動配置領域とからなり、第一省エネ行動配置領域に一定の面積を有する第一省エネ行動識別領域を設けることで、該当する第一省エネ行動識別領域に示される省エネ行動をにより節約できる概略電力量を示し、さらに、待機電力時間帯においては待機状態にて消費する待機消費電力量を示すことを特徴とする省エネ行動ナビゲーションシートなどを提案する。【選択図】図１
0003183653.tif 000002
【実用新案登録請求の範囲】
【請求項１】
建物内の場所名と、軸方向の長さでその場所にて節約可能な単位時間当たりの電力量とを表した第一場所軸と、
時刻を目盛に入れた時間を表す第一時間軸と、
取るべき省エネ行動を第一場所軸と第一時間軸によって特定される一定領域に示すための第一省エネ行動配置領域と、
からなり、
第一省エネ行動配置領域に省エネ行動により節約可能な単位時間当たりの電力量を第一場所軸方向の長さ、省エネ行動の継続時間を第一時間軸の軸方向の長さとする第一省エネ行動識別領域を設けることで、該当する第一省エネ行動識別領域に示される省エネ行動を取ることで節約できる概略電力量（省エネ行動により節約可能な単位時間当たりの電力量と省エネ行動の継続時間との積算値である面積によって把握可能な電力量）を示し、さらに、いわゆる待機電力時間帯においては省エネ行動である待機状態とした場合に消費する電力量である待機消費電力量を示す
ことを特徴とする省エネ行動ナビゲーションシート。
【請求項２】
建物内の場所名と、軸方向の長さでその場所にて節約可能な単位時間当たりの電力量料金とを表した第二場所軸と、
時刻を目盛に入れた時間を表す第二時間軸と、
取るべき省エネ行動を第二場所軸と第二時間軸によって特定される一定領域に示すための第二省エネ行動配置領域と、
からなり、
第二省エネ行動配置領域に省エネ行動により節約可能な単位時間当たりの電力量料金を第二場所軸方向の軸方向の長さ、省エネ行動の継続時間を第二時間軸の軸方向の長さとする第二省エネ行動識別領域を設けることで、該当する第二省エネ行動識別領域に示される省エネ行動を取ることで節約できる概略電力量料金（省エネ行動により節約可能な単位時間当たりの電力量料金と省エネ行動の継続時間との積算値である面積によって把握可能な電力量料金）を示し、さらに、いわゆる待機電力時間帯においては省エネ行動である待機状態とした場合の電力量料金である待機消費電力量料金を示す
ことを特徴とする省エネ行動ナビゲーションシート。
【請求項３】
建物内の場所名と、軸方向の長さでその場所での単位時間当たりの電力消費量とを表した第三場所軸と、
時刻を目盛に入れた時間を表す第三時間軸と、
取るべき省エネ行動を第三場所軸と第三時間軸によって特定される一定領域に示すための第三省エネ行動配置領域と、
からなり、
第三省エネ行動配置領域に省エネ行動により節約可能な単位時間当たりの電力量を第三場所軸方向の軸方向の長さ、省エネ行動の継続時間を第三時間軸の軸方向の長さとする第三省エネ行動識別領域を設けることで、該当する第三省エネ行動識別領域に示される省エネ行動を取ることで節約できる概略電力量（省エネ行動により節約可能な単位時間当たりの電力量と省エネ行動の継続時間との積算値である面積によって把握可能な電力量）を示し、さらに、いわゆる待機電力時間帯においては省エネ行動である待機状態とした場合に消費する電力量である待機消費電力量を示す
ことを特徴とする省エネ行動ナビゲーションシート。
【請求項４】
建物内の場所名と、軸方向の長さでその場所での単位時間当たりの電力量料金とを表した第四場所軸と、
時刻を目盛に入れた時間を表す第四時間軸と、
取るべき省エネ行動を第四場所軸と第四時間軸によって特定される一定領域に示すための第四省エネ行動配置領域と、
からなり、
第四省エネ行動配置領域に省エネ行動により節約可能な単位時間当たりの電力量料金を第四場所軸方向の軸方向の長さ、省エネ行動の継続時間を第四時間軸の軸方向の長さとする第四省エネ行動識別領域を設けることで、該当する第四省エネ行動識別領域に示される省エネ行動を取ることで節約できる概略電力量料金（省エネ行動により節約可能な単位時間当たりの電力量料金と省エネ行動の継続時間との積算値である面積によって把握可能な電力量料金）を示し、さらに、いわゆる待機電力時間帯においては省エネ行動である待機状態とした場合の電力量料金である待機消費電力量料金を示す
ことを特徴とする省エネ行動ナビゲーションシート。
【請求項５】
建物内の場所名と、軸方向の長さでその場所にて節約可能な電力とを表した第五場所軸と、
時刻を目盛に入れた時間を表す第五時間軸と、
取るべき省エネ行動を第五場所軸と第五時間軸によって特定される一定領域に示すための第五省エネ行動配置領域と、
からなり、
第五省エネ行動配置領域に省エネ行動により節約可能な電力を第五場所軸方向の長さ、省エネ行動の継続時間を第一時間軸の軸方向の長さとする第五省エネ行動識別領域を設けることで、該当する第五省エネ行動識別領域に示される省エネ行動を取ることで節約できる概略電力量（省エネ行動により節約可能な単位時間当たりの電力量と省エネ行動の継続時間との積算値である面積によって把握可能な電力量）を示し、さらに、いわゆる待機電力時間帯においては省エネ行動である待機状態とした場合に消費する電力量である待機消費電力量を示す
ことを特徴とする省エネ行動ナビゲーションシート。
【請求項６】
第一場所軸又は第二場所軸又は第三場所軸又は第四場所軸又は第五場所軸は建物内の場所名ごとに尺度をかえた軸である請求項１から５のいずれか一に記載の省エネ行動シート。
【請求項７】
第一省エネ行動配置領域又は第二省エネ行動配置領域又は第三省エネ行動配置領域又は第四省エネ行動配置領域又は第五省エネ行動配置領域においていわゆる省エネ行動がしっかり行われているか診断する診断時間帯を示す
請求項１から５のいずれか一に記載の省エネ行動ナビゲーションシート。
【考案の詳細な説明】
【技術分野】
【０００１】
本発明は、省エネ行動をサポートするための省エネ行動ナビゲーションシートに関する。
【背景技術】
【０００２】
従来から省エネ行動を励行するために、取るべき省エネ行動をリストアップして箇条書きにした表などを利用することが行われている。当該表の利用者は、記載された各項目を確認して省エネ行動を行い、電力消費量や電気料金の削減を図っている。
【０００３】
また、電気料金などの支出を減らすための複数の対策案を分かりやすく表示する技術が知られている。例えば、特許文献１においては、現在の状況と改善後の状況を把握することが可能な改善提案表などが開示されている。
【先行技術文献】
【特許文献】
【０００４】
【特許文献１】特開２００１−３０７００９号
【特許文献２】実登３１７２６５０号
【考案の概要】
【考案が解決しようとする課題】
【０００５】
しかしながら、従来技術においては、各省エネ行動によってどれくらいの電力量又は電力量料金を節約できるのかを一見して把握することが難しく、どの省エネ行動を優先的に行うべきかを把握することが難しかった。
【０００６】
以上の課題を解決するために、建物内の場所名と、軸方向の長さでその場所にて節約可能な単位時間当たりの電力量とを表した第一場所軸と、時刻を目盛に入れた時間を表す第一時間軸と、取るべき省エネ行動を第一場所軸と第一時間軸によって特定される一定領域に示すための第一省エネ行動配置領域と、からなり、第一省エネ行動配置領域に一定の面積を有する第一省エネ行動識別領域を設けることで、該当する第一省エネ行動識別領域に示される省エネ行動を取ることで節約できる概略電力量を示し、さらに、いわゆる待機電力時間帯においては省エネ行動である待機状態とした場合に消費する電力量である待機消費電力量を示すことを特徴とする省エネ行動ナビゲーションシートなどを提案する。
【考案の効果】
【０００７】
以上のような構成をとる本発明によって、省エネ行動を取るべき時間と場所を、事業所の稼働時間の内外を問わず一見して把握することが可能になり、かつ、各省エネ行動を取ることにより節約できる概略電力量や電力料金を把握することが可能になる。
【図面の簡単な説明】
【０００８】
【図１】実施例１の省エネ行動ナビゲーションシートの一例を示す図
【図２】実施例１の省エネ行動ナビゲーションシート作成装置の機能ブロックの一例を示す図
【図３】実施例１の省エネ行動ナビゲーションシート作成装置のハードウェア構成の一例を示す図
【図４】実施例１の省エネ行動ナビゲーションシート作成方法の処理の流れの一例を示す図
【図５】実施例２の省エネ行動ナビゲーションシートの一例を示す図
【図６】実施例２の省エネ行動ナビゲーションシート作成装置の機能ブロックの一例を示す図
【図７】実施例２の省エネ行動ナビゲーションシート作成方法の処理の流れの一例を示す図
【図８】実施例３の省エネ行動ナビゲーションシートの一例を示す図
【図９】実施例３の省エネ行動ナビゲーションシート作成装置の機能ブロックの一例を示す図
【図１０】実施例３の省エネ行動ナビゲーションシート作成方法の処理の流れの一例を示す図
【図１１】実施例４の省エネ行動ナビゲーションシートの一例を示す図
【図１２】実施例４の省エネ行動ナビゲーションシート作成装置の機能ブロックの一例を示す図
【図１３】実施例４の省エネ行動ナビゲーションシート作成方法の処理の流れの一例を示す図
【図１４】実施例５の省エネ行動ナビゲーションシートの一例を示す図
【図１５】実施例１の省エネ行動ナビゲーションシートの別の一例を示す図
【考案を実施するための形態】
【０００９】
以下に、本発明の実施例を説明する。実施例と請求項の相互の関係は、以下のとおりである。実施例１は主に請求項１、５、７などに関し、実施例２は主に請求項２などに関し、実施例３は主に請求項３などに関し、実施例４は主に請求項４などに関し、実施例５は主に請求項６などに関する。なお、本発明はこれらの実施例に何ら限定されるものではなく、その要旨を逸脱しない範囲内において、様々な態様で実施しうる。
【実施例１】
【００１０】
図１に示すように、本実施例の「省エネ行動ナビゲーションシート」０１００は、建物内の場所名と、軸方向の長さでその場所にて節約可能な単位時間当たりの電力量とを表した「第一場所軸」０１０１と、時刻を目盛に入れた時間を表す「第一時間軸」０１０２と、取るべき省エネ行動を第一場所軸と第一時間軸によって特定される一定領域に示すための「第一省エネ行動配置領域」０１０３と、からなり、第一省エネ行動配置領域に一定の面積を有する「第一省エネ行動識別領域」０１０４を設けることで、該当する第一省エネ行動識別領域に示される省エネ行動を取ることで節約できる概略電力量を示すとともに、さらに、いわゆる待機電力時間帯においては省エネ行動である待機状態とした場合に消費する電力量である「待機消費電力量」０１０５を示すことを特徴とする。当該構成とすることにより、省エネ行動を取るべき時間や場所を明確に把握でき、かつ、省エネ行動を取ることにより事業所の稼働時間の内外を問わず節約できる概略電力量を一見して把握することが可能になる。
【００１１】
「第一場所軸」は、上述したように、建物内の場所名と、軸方向の長さでその場所にて節約可能な単位時間当たりの電力量とを表したものである。ここで、建物内の場所名としては、種々のカテゴリーで区分けすることが可能である。例えば、建物の「１Ｆ」、「２Ｆ」、・・・、「９Ｆ」のように区分けすることも可能であるし、「０１０１号室」、「０１０２号室」、・・・、「０９０５号室」のように区分けしたり、「社長室」、「応接室」、「会議室」、「人事部」、「営業部」、「総務部」・・・、「経理部」のように区分けしたり、「テナントＡ」、・・・、「テナントＸ」、「共用部分Ａ」、・・・、「共用部分Ｘ」のように区分けしたりすることも可能である。
【００１２】
また、第一場所軸は、階層構造にして表示することも可能である。例えば、場所軸の片蘭で「１Ｆ」、「２Ｆ」、「３Ｆ」と大きなカテゴリーでまず区分けして、その隣の欄で、「受け付け」、「応接室」、「営業部」、・・・と小さなカテゴリーで区分けすることが考えられる。
【００１３】
軸方向の長さでその場所にて節約可能な単位時間あたりの電力量を表すとは、その場所にて節約可能な単位時間あたりの電力量の大きさに応じて、その場所と関連づけられた軸領域の軸方向の長さを変化させることをいう。ここで節約可能な単位時間あたりの電力量の大きさと軸方向の長さは一定の比例関数で関連づけすることが考えられるが、大きさの対応関係が分かるものであれば特に限定されない。大きさの対応関係は、図１に示すように矢印とその長さに対応する電力量を表示したり、電力量の目盛り線を付けたりすることが考えられる。また、省エネ行動ナビゲーションシートの余白に、単位時間当たりの電力量と軸方向の長さとの関係式や、関係図等を表示させることも考えられる。
【００１４】
また、一日における最大需要電力を取りやすい時間帯において、各第一省エネ行動識別領域の第一場所軸方向の長さに応じて需要電力がどれくらい減らせるかを把握することが可能になり、最大需要電力の削減を図ることも可能になる。
【００１５】
「第一時間軸」は、上述したように、時刻を目盛に入れた時間を表すものである。目盛は、「９時」、「１０時」、・・・、のように細かい刻みとすることも可能であるし、「９時〜１２時」、「１２時〜１５時」、「１５時〜１８時」、「１８時〜２１時」のように粗い刻みとすることも可能である。これらの目盛は、省エネ行動ナビゲーションシートの用途によって変化するものであり、種々の態様が考えられる。また、時刻の範囲についても用途によって種々選択可能である。
【００１６】
また、第一時間軸において、電力使用量が多くなりやすい時間帯を示すマークや文字を表示することも可能である。当該時間帯を容易に把握可能なようにすることによりこの時間帯において特に省エネ行動を取るモチベーションが高くなり、電力使用量の削減を図ることができる。
【００１７】
また、第一時間軸において、勤務スケジュールや、営業スケジュール、その他各時間において発生するイベントの情報を表示することも可能である。例えば、８時の目盛の位置に「出社」、８時半の目盛の位置に「始業」、１２時の目盛の位置に「昼休憩」、１８時の目盛の位置に「勤務終了」、といった項目を表示する態様が考えられる。このようにすることで、各時間帯において気に留めるべき事項がさらに明確になる。例えば、昼休憩時においてパソコンの電源をＯＦＦにしているか否か判断したり、勤務終了後の時間帯において換気扇の電源をＯＦＦにしているか否か判断したりするのに役立つ。
【００１８】
「第一省エネ行動配置領域」は、上述したように、取るべき省エネ行動を第一場所軸と第一時間軸によって特定される一定領域に示すためのものである。取るべき省エネ行動としては、「空調装置の電源ＯＦＦ」、「空調装置のモード変更」、「換気扇の電源ＯＦＦ」、「照明の電源ＯＦＦ」、「不使用の電気機器のコンセントを抜く」等といった種々のものが考えられる。第一場所軸と第一時間軸によって特定される一定領域とは、第一場所軸と第一時間軸の各座標によって特定される所定の大きさを有する領域をいう。
【００１９】
このように、第一場所軸と第一時間軸によって特定される一定領域に取るべき省エネ行動を示すことで、その場所及び時間においてどのような省エネ行動を取るべきかを一見して把握することが可能になる。
【００２０】
「第一省エネ行動識別領域」は、第一省エネ行動配置領域に一定の面積を有するものであり、該当する第一省エネ行動識別領域に示される省エネ行動をとることで節約できる概略電力量を示すことを特徴とする。つまり、第一場所軸方向の軸方向の長さにより単位時間当たりの電力量が分かり、第一時間軸方向の軸方向の長さにより継続時間が分かるため、その積算値である第一省エネ行動識別領域の面積によって、節約できる概略電力量を把握することができる。図１の例では、営業部室において、８時から１０時までの間に空調装置と換気扇の電源をＯＦＦにすることにより単位時間当たり約２ｋＷｈの電力量（２時間で約４ｋＷｈの電力量）を節約可能であることが一見して把握できる。
【００２１】
第一省エネ行動識別領域の第一場所軸方向の長さは、省エネ行動の対象となる電気機器の種々のモードにおいて消費される単位時間当たりの電力量や、電源ＯＦＦの状態でコンセントが接続された場合に消費される単位時間当たりの電力量等に基づいて決定することが可能である。例えば、通常の冷房モードにて空調装置を動かす代わりに送風モードにて動かす場合は、これらのモードの電力量の差に応じて第一省エネ行動識別領域の第一場所軸方向の長さを変化させることになる。また、第一省エネ行動識別領域の第一時間軸方向の軸方向の長さは、省エネ行動を継続すべき時間の長さにより決定することが可能である。
【００２２】
なおここで、本実施形態の第一省エネ行動配置領域においては、いわゆる待機電力時間帯においては省エネ行動である待機状態とした場合に消費する電力量である待機消費電力量を示す構成とすることが考えられる。ここでいう「待機電力時間帯」とは、各電気機器がユーザによって操作されず、いずれも待機状態にある時間帯のことを指し、具体的には、事業場において営業時間外の時間帯、さらには当該事業者従業者が全員退出した後の時間帯であることが想定される。待機電力時間帯の示し方としては、当該時間帯を他の時間帯と異なる色や模様で示す方法などが考えられる。図１においては、午後１０時（２２時）から翌午前７時３０分までを待機電力時間帯として定め、当該時間帯を他の時間帯に比べ濃い色で表示する場合の一例を示したものである。同図において示されているように、待機電力時間帯内における消費電力量は通常は一定量を保ち続けることから、一のシート内に示される待機電力時間帯は、当該時間帯のうち一部（例えば、午前０時から午前６時までを省略する表示）であってもよい。当該構成をとることにより、限られたスペースにおいても、待機消費電力量を一のシート上に示すことが可能になる。
【００２３】
ちなみに、第一省エネ行動配置領域においては、電力量を示す構成のほか、電力を示す構成を採用することも考えられる。ここで、図１５は、本実施例の省エネ行動ナビゲーションシートの別の一例を示す図である。同図において示されているように、この別の一例の場合、「第五場所軸」１５０１においては、先に説明した第一場所軸とは異なり、建物内の場所名とともに表されているのは、軸方向の長さでその場所にて節約可能な電力である。当該構成をとることにより、省エネ行動をとることにより節約できる電力量を、電力と時間との関係において把握することが可能になるため、省エネ行動をとる意義をより明確に視認することが可能になる。
【００２４】
「待機消費電力量」とは、待機電力時間帯において省エネ行動である待機状態とした場合に消費する電力量のことを指している。ここでいう「待機状態」は省エネ行動として位置づけられており、いわゆる最終退出者による空調や照明、ＰＣの電源消し忘れによる消費電力量は待機消費電力量には含まれない。このような内容を有する待機消費電力量をもシート上に示す構成を採用することにより、待機電力時間帯における消費電力量の実測値と待機消費電力量との差分を把握することが可能となり、電源消し忘れ、すなわち省エネ行動をとらなかったことによる消費電力量の無駄を明確に認識することが可能になる。
【００２５】
また、第一省エネ行動識別領域は、関連づけられた省エネ行動の優先度によって色や、模様、手触り等を変化させる構成とすることも可能である。例えば、省エネ行動の優先度が高いものについては「赤色」や「網掛け」として、優先度が低いものについては「青色」や「無模様」とすることが考えられる。
【００２６】
なお、先に説明した待機電力時間帯以外の時間帯において要求される具体的な省エネ行動の内容が把握し分析診断しやすくなるように、当該省エネ行動が積極的にとられるべき時間帯を特に見やすくするための診断時間帯を示す構成をとることも考えられる。診断時間帯の具体的な例としては、事業所における業務開始時間から業務終了時間までとすることが考えられるが、他にも、業務開始準備時間帯や退出準備時間帯をも診断時間帯に含めることも考えられる。そして、診断時間帯の表示の仕方としては、当該時間帯に該当する第一省エネ行動識別領域内を他の領域内とは異なる色や模様で表示する方法や、当該時間帯の始点となる時刻地点と終点となる時刻地点をそれぞれ区切ることで他の領域と区別する方法などが考えられる。
【００２７】
また、第一省エネ行動識別領域にチェックボックスを付する構成も可能である。当該構成とすることにより、省エネ行動ナビゲーションシートを持って省エネ行動を行う場合に各省エネ行動を取ったか否か容易に確認することが可能になり、省エネ行動の漏れや重複を少なくすることが可能になる。
【００２８】
以上の構成に加えて、建物内の場所ごとに省エネ行動で特に注意すべき事項を総括した総括スペースを設ける態様も可能である。１Ｆの場所について「業務及び安全性に支障がない程度での削減を実施。」と記載したり、客室の場所について「客室はチェックアウト等に合わせて１０時〜１５時に行う。」と記載したりすることが考えられる。
【００２９】
なお、以上の構成をとる省エネ行動ナビゲーションシートは、紙面上に作成されることが可能であるほか、当該シートのデータを計算機に入力することにより、プリンタ装置に対してデータ出力して印刷された状態で取り出すことや、ディスプレイ装置に対してデータ出力して画面上に表示させることも可能である。また、記録媒体に記録したり、通信装置を利用してネットワーク上の他の装置にデータ送信したりすることも可能である。そこで以下において、本実施例の省エネ行動ナビゲーションシートのデータを前記装置をはじめとする各装置にデータ出力するために用いる構成省エネ行動ナビゲーションシート作成装置について詳しく説明する。
【００３０】
<省エネ行動ナビゲーションシート作成装置>
図２は、本実施例の省エネ行動ナビゲーションシート作成装置の機能ブロックの一例を示す図である。この図にあるように、本実施例の「省エネ行動ナビゲーションシート作成装置」０２００は、「第一場所量保持部」０２０１と、「第一場所行動保持部」０２０２と、「第一行動量保持部」０２０３と、「第一省エネ行動配置領域作成部」０２０４と、「第一省エネ行動識別領域表示部」０２０５と、を備える。
【００３１】
なお、以下に記載する装置の機能ブロックは、ハードウェア、ソフトウェア、又はハードウェア及びソフトウェアの両方として実現され得る。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００３２】
「第一場所量保持部」は、建物内の場所名と、その場所にて節約可能な単位時間当たりの電力量とを関連付けて保持する機能を有する。データを保持する手段としては、ＨＤＤやフラッシュメモリ等の一般的な記録媒体を用いることが考えられる。また、第一場所量保持部は、以下に述べる第一場所行動保持部や、第一行動量保持部と同一のハードウェアによって機能を果たす構成も可能であるし、別々のハードウェアとする構成も可能である。また、これら関連づけを行うためのデータは、外部記憶媒体から取得する構成や、操作入力装置を介して入力を受け付ける構成、通信装置を介してネットワーク上の他の装置から取得する構成など種々のものが考えられる（以下の説明でも同様である）。
【００３３】
図１の例では、建物内の場所名「営業部室」とその場所にて節約可能な単位時間当たりの電力量「２．５ｋＷｈ」と関連づけて保持したり、建物内の場所名「食堂」とその場所にて節約可能な単位時間当たりの電力量「３．５ｋＷｈ」と関連づけて保持したりすることが該当する。
【００３４】
「第一場所行動保持部」は、建物内の場所名と、その場所にて特定の時間帯に実行した又は実行する予定である省エネ行動ＩＤとを関連付けて保持する機能を有する。図１の例では、場所名「食堂」と省エネ行動ＩＤ「食堂にて８時から１１時半まで空調装置ＯＦＦ」とを関連づけて保持したり、場所名「作業室」と省エネ行動ＩＤ「作業室にて８時から２３時まで換気扇ＯＦＦ」とを関連づけて保持したりすることが該当する。
【００３５】
「第一行動量保持部」は、省エネ行動ＩＤと、その省エネ行動ＩＤが示す省エネ行動により節約できる概略電力量とを関連付けて保持する機能を有する。図１の例では、省エネ行動ＩＤ「営業部室にて１０時から１９時半まで空調装置を送風モード」と当該省エネ行動により節約できる概略電力量「単位時間当たり０．７５ｋＷｈの電力量×９時間」とを関連づけて保持したり、省エネ行動ＩＤ「営業部室にて１９時から２３時まで印刷機ＯＦＦ」と当該省エネ行動により節約できる概略電力量「単位時間当たり０．５ｋＷｈの電力量×４時間」とを関連づけて保持したりすることが該当する。
【００３６】
「第一省エネ行動配置領域作成部」は、第一場所量保持部に保持されている情報に基づいて、建物内の場所名と軸方向の長さでその場所にて節約可能な単位時間当たりの電力量とを示した第一場所軸と、時刻を目盛に入れた時間を表す第一時間軸と、によって特定可能な領域である第一省エネ行動配置領域を作成する機能を有する。
【００３７】
「第一省エネ行動識別領域表示部」は、第一場所行動保持部に保持されている情報と、第一行動量保持部に保持されている情報とに基づいて、第一省エネ行動配置領域内に、第一時間軸と第一場所軸に対応させて、省エネ行動ＩＤと関連付けた第一省エネ行動識別領域を表示する機能を有する。また、第一省エネ行動配置領域内に表示される第一省エネ行動識別領域の面積と各軸に対する位置とが節約できる概略電力量とその省エネ行動を実行した又は実行する予定の場所と時間とを示すことを特徴とする。
【００３８】
<具体的な構成>
図３は、上記の省エネ行動ナビゲーションシート作成装置の機能的な各構成要素をハードウェアとして実現した際の、構成の一例を表す概略図である。この図を利用して、ハードウェア構成部の働きについて説明する。
【００３９】
この図にあるように、上記の省エネ行動ナビゲーションシート作成装置は、「ＣＰＵ」０３０１と、「メインメモリ」０３０２と、「補助記憶装置」０３０３と、「ディスプレイ装置」０３０４と、「通信装置」０３０５と、「プリンタ装置」０３０６と、「操作入力装置」０３０７と、を備える。これらの構成は、「システムバス」０３０８のデータ通信経路によって相互に接続され、情報の送受信や処理を行う。
【００４０】
ＣＰＵは、建物内の場所名と、その場所にて節約可能な単位時間当たりの電力量とを関連付けて補助記憶装置のアドレスＡに記録する。また、ＣＰＵは、建物内の場所名と、その場所にて特定の時間帯に実行した又は実行する予定である省エネ行動ＩＤとを関連付けて補助記憶装置のアドレスＢに記録する。また、ＣＰＵは、省エネ行動ＩＤと、その省エネ行動ＩＤが示す省エネ行動により節約できる概略電力量とを関連付けて補助記憶装置のアドレスＣに記録する。
【００４１】
ＣＰＵは、補助記憶装置のアドレスＡに保持されている情報をメインメモリに読み出して、建物内の場所名と、軸方向の長さでその場所にて節約可能な単位時間当たりの電力量とを示した第一場所軸と、時刻を目盛に入れた時間を表す第一時間軸と、によって特定可能な領域である第一省エネ行動配置領域を作成し、処理結果をメインメモリに格納する。具体的には、建物内の各場所にて節約可能な単位時間当たりの電力量の値と軸方向の長さを関連づけたプログラムにより各場所の軸領域（ブロック）の場所軸方向の長さを決定する処理を行う。
【００４２】
ＣＰＵは、補助記憶装置のアドレスＢに保持されている情報とアドレスＣに保持されている情報とに基づいて、第一省エネ行動配置領域内に、第一時間軸と第一場所軸に対応させて、省エネ行動ＩＤと関連付けた第一省エネ行動識別領域を表示する処理を行い、処理結果をメインメモリに格納する。ここで、第一省エネ行動配置領域内に表示される第一省エネ行動識別領域の面積と各軸に対する位置とが節約できる概略電力量とその省エネ行動を実行した又は実行する予定の場所と時間とを示すように調整するプログラムを用いる。
【００４３】
<省エネ行動ナビゲーションシート作成方法>
図４は、本実施例の省エネ行動ナビゲーションシート作成方法の処理の流れの一例を示す図である。同図の処理の流れは以下のステップからなる。まず、ステップＳ０４０１において、建物内の場所名と、その場所にて節約可能な単位時間当たりの電力量とを関連付けて記録媒体に記録する（第一場所量記録ステップ）。次にステップＳ０４０２において、建物内の場所名と、その場所にて特定の時間帯に実行した又は実行する予定である省エネ行動ＩＤとを関連付けて記録媒体に記録する（第一場所行動記録ステップ）。次にステップＳ０４０３において、省エネ行動ＩＤと、その省エネ行動ＩＤが示す省エネ行動により節約できる概略電力量とを関連付けて記録媒体に記録する（第一行動量記録ステップ）。次にステップＳ０４０４において、第一場所量記録ステップにて記録された情報に基づいて、建物内の場所名と軸方向の長さでその場所にて節約可能な単位時間当たりの電力量とを示した第一場所軸と、時刻を目盛に入れた時間を表す第一時間軸と、によって特定可能な領域である第一省エネ行動配置領域を作成する（第一省エネ行動配置領域作成ステップ）。次にステップＳ０４０５において、第一場所行動記録ステップにて記録された情報と、第一行動量記録ステップにて記録された情報とに基づいて、第一省エネ行動配置領域内に、第一時間軸と第一場所軸に対応させて、省エネ行動ＩＤと関連付けた第一省エネ行動識別領域を表示する（第一省エネ行動識別領域表示ステップ）。なお、第一省エネ行動配置領域内に表示される第一省エネ行動識別領域の面積と各軸に対する位置とが節約できる概略電力量とその省エネ行動を実行した又は実行する予定の場所と時間とを示すことを特徴とする。
【００４４】
<効果>
以上のような構成をとる本発明によって、省エネ行動を取るべき時間と場所を一見して把握することが可能になり、かつ、各省エネ行動を取ることにより節約できる概略電力量を把握することが可能になる。
【実施例２】
【００４５】
図５に示すように、本実施例の「省エネ行動ナビゲーションシート」０５００は、建物内の場所名と、軸方向の長さでその場所にて節約可能な単位時間当たりの電力量料金とを表した「第二場所軸」０５０１と、時刻を目盛に入れた時間を表す「第二時間軸」０５０２と、取るべき省エネ行動を第二場所軸と第二時間軸によって特定される一定領域に示すための「第二省エネ行動配置領域」０５０３と、からなり、第二省エネ行動配置領域に一定の面積を有する「第二省エネ行動識別領域」０５０４を設けることで、該当する第二省エネ行動識別領域に示される省エネ行動を取ることで節約できる概略電力量料金を示すとともに、さらに、いわゆる待機電力時間帯においては省エネ行動である待機状態とした場合の電力量料金である「待機消費電力量料金」０５０５を示すことを特徴とする省エネ行動ナビゲーションシートを提案する。当該構成とすることにより、省エネ行動を取るべき時間や場所を明確に把握でき、かつ、省エネ行動を取ることにより事業所の稼働時間の内外を問わず節約できる概略電力量料金を一見して把握することが可能になる。
【００４６】
「第二場所軸」は、上述したように、建物内の場所名と、軸方向の長さでその場所にて節約可能な単位時間当たりの電力量料金とを表したものである。第一場所軸との相違点としては、節約可能な単位時間当たりの電力量の代わりに節約可能な単位時間当たりの電力量料金を軸方向の長さに割り当てている点である。節約可能な単位時間当たりの電力量料金は、節約可能な単位時間当たりの電力量に電力量料金単価を乗算した値として概算することが可能である。当該電力量料金単価は、電力会社が公表する金額を用いることが考えられる。
【００４７】
「第二時間軸」は、上述したように、時刻を目盛に入れた時間を表すものである。基本的には、実施例１で説明した第一時間軸の構成と同様である。加えて、電力量料金の変わる時間帯が明らかになる情報を付する構成も可能である。例えば、「１１時〜１４時」の時間帯において他の時間帯と比して電力量料金の値段が上がる場合は、１１時と１４時の目盛付近において電力量料金が変化することを示すマークや文字を付する態様が考えられる。また、各時間帯の電力量料金を時刻の目盛と関連づけて表示する構成も可能である。
【００４８】
「第二省エネ行動配置領域」は、上述したように、取るべき省エネ行動を第二場所軸と第二時間軸によって特定される一定領域に示すためのものである。基本的には、実施例１で説明した第一省エネ行動配置領域の構成と同様である。なお、第二省エネ行動配置領域における余白において、電力量料金単価（昼間時間、夜間時間、重負荷時間等における各単価）や、基本料金単価を表示する態様も可能である。
【００４９】
「第二省エネ行動識別領域」は、上述したように、第二省エネ行動配置領域に一定の面積を有し、該当する第二省エネ行動識別領域に示される省エネ行動を取ることで節約できる概略電力量料金を示すことを特徴とする。つまり、第二場所軸方向の軸方向の長さにより単位時間当たりの電力量料金が分かり、第二時間軸方向の軸方向の長さにより継続時間が分かるため、その積算値である第二省エネ行動識別領域の面積によって、節約できる概略電力量料金を把握することができる。
【００５０】
なおここで、本実施形態の第二省エネ行動配置領域においては、いわゆる待機電力時間帯においては省エネ行動である待機状態とした場合の電力量料金である待機消費電力量料金を示す構成とすることが考えられる。ここでいう「待機電力時間帯」とは、実施例１における待機電力時間帯と同意である。
【００５１】
「待機消費電力量料金」とは、待機電力時間帯において省エネ行動である待機状態とした場合の電力量料金のことを指している。ここでいう「待機状態」は省エネ行動として位置づけられており、いわゆる最終退出者による空調や照明、ＰＣの電源消し忘れによる消費電力量は待機消費電力量には含まれない。このような内容を有する待機消費電力量をもシート上に示す構成を採用することにより、待機電力時間帯における消費電力量の実測値と待機消費電力量との差分を示すことが可能となり、電源消し忘れ、すなわち省エネ行動をとらなかったことによる電力量料金の無駄を明確に認識することが可能になる。
【００５２】
なお、以上の構成をとる省エネ行動ナビゲーションシートもまた、実施例１において説明した省エネ行動ナビゲーションシートと同様に紙面上に作成されることが可能であるほか、当該シートのデータを計算機に入力することにより、プリンタ装置に対してデータ出力して印刷された状態で取り出すことや、ディスプレイ装置に対してデータ出力して画面上に表示させることも可能である。また、記録媒体に記録したり、通信装置を利用してネットワーク上の他の装置にデータ送信したりすることも可能である。そこで以下において、本実施例の省エネ行動ナビゲーションシートのデータを前記装置をはじめとする各装置にデータ出力するために用いる構成省エネ行動ナビゲーションシート作成装置について詳しく説明する。
【００５３】
<省エネ行動ナビゲーションシート作成装置>
図６は、本実施例の省エネ行動ナビゲーションシート作成装置の機能ブロックの一例を示す図である。この図にあるように、本実施例の「省エネ行動ナビゲーションシート作成装置」０６００は、「第二場所量保持部」０６０１と、「第二場所行動保持部」０６０２と、「第二行動量保持部」０６０３と、「第二省エネ行動配置領域作成部」０６０４と、「第二省エネ行動識別領域表示部」０６０５と、を備える。
【００５４】
「第二場所量保持部」は、建物内の場所名と、その場所にて節約可能な単位時間当たりの電力量料金とを関連付けて保持する機能を有する。  図５の例では、建物内の場所名「フロント」とその場所にて節約可能な単位時間当たりの電力量料金「２５円／時間」と関連づけて保持したり、建物内の場所名「客室フロア」とその場所にて節約可能な単位時間当たりの電力量「３０円／時間」と関連づけて保持したりすることが該当する。
【００５５】
「第二場所行動保持部」は、建物内の場所名と、その場所にて特定の時間帯に実行した又は実行する予定である省エネ行動ＩＤとを関連付けて保持する機能を有する。図５の例では、場所名「フロント」と省エネ行動ＩＤ「フロントにて１１時半から１５時まで照明ＯＦＦ」とを関連づけて保持したり、場所名「外周」と省エネ行動ＩＤ「外周にて１０時から２０時まで北部ベランダ照明ＯＦＦ」とを関連づけて保持したりすることが該当する。
【００５６】
「第二行動量保持部」は、省エネ行動ＩＤと、その省エネ行動ＩＤが示す省エネ行動により節約できる概略電力量料金とを関連付けて保持する機能を有する。図５の例では、省エネ行動ＩＤ「客室フロアにて１１時半から１４時まで照明ＯＦＦ」と当該省エネ行動により節約できる概略電力量料金「単位時間当たり３０円の電力量料金×２時間半」とを関連づけて保持したり、省エネ行動ＩＤ「外周にて８時から１８時まで屋上看板照明ＯＦＦ」と当該省エネ行動により節約できる概略電力量料金「単位時間当たり１０円の電力量料金×１０時間」とを関連づけて保持したりすることが該当する。
【００５７】
「第二省エネ行動配置領域作成部」は、第二場所量保持部に保持されている情報に基づいて、建物内の場所名と軸方向の長さでその場所にて節約可能な単位時間当たりの電力量料金とを示した第二場所軸と、時刻を目盛に入れた時間を表す第二時間軸と、によって特定可能な領域である第二省エネ行動配置領域を作成する機能を有する。
【００５８】
「第二省エネ行動識別領域表示部」は、第二場所行動保持部に保持されている情報と、第二行動量保持部に保持されている情報とに基づいて、第二省エネ行動配置領域内に、第二時間軸と第二場所軸に対応させて、省エネ行動ＩＤと関連付けた第二省エネ行動識別領域を表示する機能を有する。なお、第二省エネ行動配置領域内に表示される第二省エネ行動識別領域の面積と各軸に対する位置とが節約できる概略電力量料金とその省エネ行動を実行した又は実行する予定の場所と時間とを示すことを特徴とする。
【００５９】
<具体的な構成>
本実施例の省エネ行動ナビゲーションシート作成装置のハードウェア構成は、図３にて説明した実施例１の省エネ行動ナビゲーションシート作成装置のハードウェア構成の説明と同様であるため、説明を省略する。
【００６０】
<省エネ行動ナビゲーションシート作成方法>
図７は、本実施例の省エネ行動ナビゲーションシート作成方法の処理の流れの一例を示す図である。同図の処理の流れは以下のステップからなる。まず、ステップＳ０７０１において、建物内の場所名と、その場所にて節約可能な単位時間当たりの電力量料金とを関連付けて記録媒体に記録する（第二場所量記録ステップ）。次にステップＳ０７０２において、建物内の場所名と、その場所にて特定の時間帯に実行した又は実行する予定である省エネ行動ＩＤとを関連付けて記録媒体に記録する（第二場所行動記録ステップ）。次にステップＳ０７０３において、省エネ行動ＩＤと、その省エネ行動ＩＤが示す省エネ行動により節約できる概略電力量料金とを関連付けて記録媒体に記録する（第二行動量記録ステップ）。次にステップＳ０７０４において、第二場所量記録ステップにて記録された情報に基づいて、建物内の場所名と軸方向の長さでその場所にて節約可能な単位時間当たりの電力量料金とを示した第二場所軸と、時刻を目盛に入れた時間を表す第二時間軸と、によって特定可能な領域である第二省エネ行動配置領域を作成する（第二省エネ行動配置領域作成ステップ）。次にステップＳ０７０５において、第二場所行動記録ステップにて記録された情報と、第二行動量記録ステップにて記録された情報とに基づいて、第二省エネ行動配置領域内に、第二時間軸と第二場所軸に対応させて、省エネ行動ＩＤと関連付けた第二省エネ行動識別領域を表示する（第二省エネ行動識別領域表示ステップ）。なお、第二省エネ行動配置領域内に表示される第二省エネ行動識別領域の面積と各軸に対する位置とが節約できる概略電力量料金とその省エネ行動を実行した又は実行する予定の場所と時間とを示すことを特徴とする。
【００６１】
<効果>
以上のような構成をとる本発明によって、省エネ行動を取るべき時間と場所を一見して把握することが可能になり、かつ、各省エネ行動を取ることにより事業所の稼働時間の内外を問わず節約できる概略電力量料金を把握することが可能になる。
【実施例３】
【００６２】
図８に示すように、本実施例の「省エネ行動ナビゲーションシート」０８００は、建物内の場所名と、軸方向の長さでその場所での単位時間当たりの電力消費量とを表した「第三場所軸」０８０１と、時刻を目盛に入れた時間を表す「第三時間軸」０８０２と、取るべき省エネ行動を第三場所軸と第三時間軸によって特定される一定領域に示すための「第三省エネ行動配置領域」０８０３と、からなり、第三省エネ行動配置領域に一定の面積を有する「第三省エネ行動識別領域」０８０４を設けることで、該当する第三省エネ行動識別領域に示される省エネ行動を取ることで節約できる概略電力量を示すとともに、さらに、いわゆる待機電力時間帯においては省エネ行動である待機状態とした場合に消費する電力量である「待機消費電力量」０８０５を示すことを特徴とする。
【００６３】
第三場所軸は、上述したように、建物内の場所名と、軸方向の長さでその場所での単位時間当たりの電力消費量とを表したものである。つまり、建物での単位時間当たりの電力消費量の大きさに応じて第三場所軸の長さを大きくする態様となっている。当該構成とすることにより、建物内の各場所においてどれくらいの電力消費が行われているかを一見して把握することが可能になる。さらに、その電力消費量のうちどれくらいの電力量を節約することが可能であるかを、第三省エネ行動識別領域の大きさによって把握することが可能になる。
【００６４】
第三時間軸、第三省エネ行動配置領域、第三省エネ行動識別領域については、実施例１にて説明した第一時間軸、第一省エネ行動配置領域、第一省エネ行動識別領域と同様である。
【００６５】
なお、以上の構成をとる省エネ行動ナビゲーションシートもまた、実施例１又は２において説明した省エネ行動ナビゲーションシートと同様に紙面上に作成されることが可能であるほか、当該シートのデータを計算機に入力することにより、プリンタ装置に対してデータ出力して印刷された状態で取り出すことや、ディスプレイ装置に対してデータ出力して画面上に表示させることも可能である。また、記録媒体に記録したり、通信装置を利用してネットワーク上の他の装置にデータ送信したりすることも可能である。そこで以下において、本実施例の省エネ行動ナビゲーションシートのデータを前記装置をはじめとする各装置にデータ出力するために用いる構成省エネ行動ナビゲーションシート作成装置について詳しく説明する。
【００６６】
<省エネ行動ナビゲーションシート作成装置>
図９は、本実施例の省エネ行動ナビゲーションシート作成装置の機能ブロックの一例を示す図である。この図にあるように、本実施例の「省エネ行動ナビゲーションシート作成装置」０９００は、「第三場所量保持部」０９０１と、「第三場所行動保持部」０９０２と、「第三行動量保持部」０９０３と、「第三省エネ行動配置領域作成部」０９０４と、「第三省エネ行動識別領域表示部」０９０５と、を備える。
【００６７】
「第三場所量保持部」は、建物内の場所名と、その場所での単位時間当たりの電力消費量とを関連付けて保持する機能を有する。図８の例では、建物内の場所名「営業部室」とその場所での単位時間当たりの電力消費量「５ｋＷｈ」と関連づけて保持したり、建物内の場所名「作業室」とその場所での単位時間当たりの電力消費量「４ｋＷｈ」と関連づけて保持したりすることが該当する。
【００６８】
「第三場所行動保持部」は、建物内の場所名と、その場所にて特定の時間帯に実行した又は実行する予定である省エネ行動ＩＤとを関連付けて保持する機能を有する。当該構成は、実施例１で説明した第一場所行動保持部と同様である。
【００６９】
「第三行動量保持部」は、省エネ行動ＩＤと、その省エネ行動ＩＤが示す省エネ行動により節約できる概略電力量とを関連付けて保持する機能を有する。当該構成は、実施例１で説明した第一行動量保持部と同様である。
【００７０】
「第三省エネ行動配置領域作成部」は、第三場所量保持部に保持されている情報に基づいて、建物内の場所名と軸方向の長さでその場所での単位時間当たりの電力消費量とを示した第三場所軸と、時刻を目盛に入れた時間を表す第三時間軸と、によって特定可能な領域である第三省エネ行動配置領域を作成する機能を有する。
【００７１】
「第三省エネ行動識別領域表示部」は、第三場所行動保持部に保持されている情報と、第三行動量保持部に保持されている情報とに基づいて、第三省エネ行動配置領域内に、第三時間軸と第三場所軸に対応させて、省エネ行動ＩＤと関連付けた第三省エネ行動識別領域を表示する機能を有する。なお、第三省エネ行動配置領域内に表示される第三省エネ行動識別領域の面積と各軸に対する位置とが節約できる概略電力量とその省エネ行動を実行した又は実行する予定の場所と時間とを示すことを特徴とする。
【００７２】
<具体的な構成>
本実施例の省エネ行動ナビゲーションシート作成装置のハードウェア構成は、図３にて説明した実施例１の省エネ行動ナビゲーションシート作成装置のハードウェア構成の説明と同様であるため、説明を省略する。
【００７３】
<省エネ行動ナビゲーションシート作成方法>
図１０は、本実施例の省エネ行動ナビゲーションシート作成方法の処理の流れの一例を示す図である。同図の処理の流れは以下のステップからなる。まず、ステップＳ１００１において、建物内の場所名と、その場所での単位時間当たりの電力消費量とを関連付けて記録媒体に記録する（第三場所量記録ステップ）。次にステップＳ１００２において、建物内の場所名と、その場所にて特定の時間帯に実行した又は実行する予定である省エネ行動ＩＤとを関連付けて記録媒体に記録する（第三場所行動記録ステップ）。次にステップＳ１００３において、省エネ行動ＩＤと、その省エネ行動ＩＤが示す省エネ行動により節約できる概略電力量とを関連付けて記録媒体に記録する（第三行動量記録ステップ）。次にステップＳ１００４において、第三場所量記録ステップにて記録された情報に基づいて、建物内の場所名と軸方向の長さでその場所での単位時間当たりの電力消費量とを示した第三場所軸と、時刻を目盛に入れた時間を表す第三時間軸と、によって特定可能な領域である第三省エネ行動配置領域を作成する（第三省エネ行動配置領域作成ステップ）。次にステップＳ１００５において、第三場所行動記録ステップにて記録された情報と、第三行動量記録ステップにて記録された情報とに基づいて、第三省エネ行動配置領域内に、第三時間軸と第三場所軸に対応させて、省エネ行動ＩＤと関連付けた第三省エネ行動識別領域を表示する（第三省エネ行動識別領域表示ステップ）。なお、第三省エネ行動配置領域内に表示される第三省エネ行動識別領域の面積と各軸に対する位置とが節約できる概略電力量とその省エネ行動を実行した又は実行する予定の場所と時間とを示すことを特徴とする。
【００７４】
<効果>
本実施例の省エネ行動ナビゲーションシートにより、省エネ行動を取るべき時間や場所を明確に把握でき、かつ、その場所での電力消費量と、省エネ行動を取ることにより事業所の稼働時間の内外を問わず節約できる概略電力量を一見して把握することが可能になる。
【実施例４】
【００７５】
図１１に示すように、本実施例の「省エネ行動ナビゲーションシート」１１００は、建物内の場所名と、軸方向の長さでその場所での単位時間当たりの電力量料金とを表した「第四場所軸」１１０１と、時刻を目盛に入れた時間を表す「第四時間軸」１１０２と、取るべき省エネ行動を第四場所軸と第四時間軸によって特定される一定領域に示すための「第四省エネ行動配置領域」１１０３と、からなり、第四省エネ行動配置領域に一定の面積を有する「第四省エネ行動識別領域」１１０４を設けることで、該当する第四省エネ行動識別領域に示される省エネ行動を取ることで節約できる概略電力量料金を示すとともに、さらに、いわゆる待機電力時間帯においては省エネ行動である待機状態とした場合の電力量料金である「待機消費電力量料金」１１０５を示すことを特徴とする。
【００７６】
第四場所軸は、上述したように、建物内の場所名と、軸方向の長さでその場所での単位時間当たりの電力量料金とを表したものである。つまり、建物での単位時間当たりの電力量料金の大きさに応じて第三場所軸の長さを大きくする。
【００７７】
第四時間軸、第四省エネ行動配置領域、第四省エネ行動識別領域については、実施例２にて説明した第二時間軸、第二省エネ行動配置領域、第二省エネ行動識別領域と同様である。
【００７８】
なお、以上の構成をとる省エネ行動ナビゲーションシートもまた、実施例１ないし３において説明した省エネ行動ナビゲーションシートと同様に紙面上に作成されることが可能であるほか、当該シートのデータを計算機に入力することにより、プリンタ装置に対してデータ出力して印刷された状態で取り出すことや、ディスプレイ装置に対してデータ出力して画面上に表示させることも可能である。また、記録媒体に記録したり、通信装置を利用してネットワーク上の他の装置にデータ送信したりすることも可能である。そこで以下において、本実施例の省エネ行動ナビゲーションシートのデータを前記装置をはじめとする各装置にデータ出力するために用いる構成省エネ行動ナビゲーションシート作成装置について詳しく説明する。
【００７９】
<省エネ行動ナビゲーションシート作成装置>
図１２は、本実施例の省エネ行動ナビゲーションシート作成装置の機能ブロックの一例を示す図である。この図にあるように、本実施例の「省エネ行動ナビゲーションシート作成装置」１２００は、「第四場所量保持部」１２０１と、「第四場所行動保持部」１２０２と、「第四行動量保持部」１２０３と、「第四省エネ行動配置領域作成部」１２０４と、「第四省エネ行動識別領域表示部」１２０５と、を備える。
【００８０】
「第四場所量保持部」は、建物内の場所名と、その場所での単位時間当たりの電力量料金とを関連付けて保持する機能を有する。図１１の例では、建物内の場所名「フロント（１Ｆ）」とその場所での単位時間当たりの電力量料金「５０円／時間」と関連づけて保持したり、建物内の場所名「外周」とその場所での単位時間当たりの電力量料金「３５円／時間」と関連づけて保持したりすることが該当する。
【００８１】
「第四場所行動保持部」は、建物内の場所名と、その場所にて特定の時間帯に実行した又は実行する予定である省エネ行動ＩＤとを関連付けて保持する機能を有する。当該構成は、実施例１で説明した第一場所行動保持部と同様である。
【００８２】
「第四行動量保持部」は、省エネ行動ＩＤと、その省エネ行動ＩＤが示す省エネ行動により節約できる概略電力量料金とを関連付けて保持する機能を有する。当該構成は、実施例１で説明した第一行動量保持部と同様である。
【００８３】
「第四省エネ行動配置領域作成部」は、第四場所量保持部に保持されている情報に基づいて、建物内の場所名と軸方向の長さでその場所での単位時間当たりの電力量料金とを示した第四場所軸と、時刻を目盛に入れた時間を表す第四時間軸と、によって特定可能な領域である第四省エネ行動配置領域を作成する機能を有する。
【００８４】
「第四省エネ行動識別領域表示部」は、第四場所行動保持部に保持されている情報と、第四行動量保持部に保持されている情報とに基づいて、第四省エネ行動配置領域内に、第四時間軸と第四場所軸に対応させて、省エネ行動ＩＤと関連付けた第四省エネ行動識別領域を表示する機能を有する。なお、第四省エネ行動配置領域内に表示される第四省エネ行動識別領域の面積と各軸に対する位置とが節約できる概略電力量料金とその省エネ行動を実行した又は実行する予定の場所と時間とを示すことを特徴とする。
【００８５】
<具体的な構成>
本実施例の省エネ行動ナビゲーションシート作成装置のハードウェア構成は、図３にて説明した実施例１の省エネ行動ナビゲーションシート作成装置のハードウェア構成の説明と同様であるため、説明を省略する。
【００８６】
<省エネ行動ナビゲーションシート作成方法>
図１３は、本実施例の省エネ行動ナビゲーションシート作成方法の処理の流れの一例を示す図である。同図の処理の流れは以下のステップからなる。まず、ステップＳ１３０１において、建物内の場所名と、その場所での単位時間当たりの電力量料金とを関連付けて記録媒体に記録する（第四場所量記録ステップ）。次にステップＳ１３０２において、建物内の場所名と、その場所にて特定の時間帯に実行した又は実行する予定である省エネ行動ＩＤとを関連付けて記録媒体に記録する（第四場所行動記録ステップ）。次にステップＳ１３０３において、省エネ行動ＩＤと、その省エネ行動ＩＤが示す省エネ行動により節約できる概略電力量料金とを関連付けて記録媒体に記録する（第四行動量記録ステップ）。次にステップＳ１３０４において、第四場所量記録ステップにて記録された情報に基づいて、建物内の場所名と軸方向の長さでその場所での単位時間当たりの電力量料金とを示した第四場所軸と、時刻を目盛に入れた時間を表す第四時間軸と、によって特定可能な領域である第四省エネ行動配置領域を作成する（第四省エネ行動配置領域作成ステップ）。次にステップＳ１３０５において、第四場所行動記録ステップにて記録された情報と、第四行動量記録ステップにて記録された情報とに基づいて、第四省エネ行動配置領域内に、第四時間軸と第四場所軸に対応させて、省エネ行動ＩＤと関連付けた第四省エネ行動識別領域を表示する（第四省エネ行動識別領域表示ステップ）。なお、第四省エネ行動配置領域内に表示される第四省エネ行動識別領域の面積と各軸に対する位置とが節約できる概略電力量料金とその省エネ行動を実行した又は実行する予定の場所と時間とを示すことを特徴とする。
【００８７】
<効果>
本実施例の省エネ行動ナビゲーションシートにより、省エネ行動を取るべき時間や場所を明確に把握でき、かつ、その場所での電力量料金と、省エネ行動を取ることにより事業所の稼働時間の内外を問わず節約できる概電力量料金を一見して把握することが可能になる。
【実施例５】
【００８８】
<省エネ行動ナビゲーションシート、省エネ行動ナビゲーションシート作成装置、省エネ行動ナビゲーションシート作成方法>
本実施例の省エネ行動ナビゲーションシートは、基本的に実施例１から４のいずれか一に記載の省エネ行動ナビゲーションシートと同様であるが、図１４に示すように、第一場所軸又は第二場所軸又は第三場所軸又は第四場所軸は場所名に応じて尺度をかえた軸であることを特徴とする。この図の例では、場所名「管理室」について尺度「１ｋＷｈを示す矢印Ａ」を用いて、場所名「製造室Ａ」について尺度「２ｋＷｈを示す矢印Ｂ（矢印Ａと同サイズ）」を用いている。また、本実施例の省エネ行動ナビゲーションシート作成装置、省エネ行動ナビゲーションシート作成方法についても、基本的に実施例１から４のいずれか一に記載の省エネ行動ナビゲーションシート作成装置、省エネ行動ナビゲーションシート作成方法と同様であるが、第一場所軸又は第二場所軸又は第三場所軸又は第四場所軸は場所名に応じて尺度をかえた軸であることを特徴とする。
【００８９】
第一場所軸又は第二場所軸又は第三場所軸又は第四場所軸を場所名に応じて尺度をかえた軸とすることにより、場所ごとに尺度を変化させ、各場所に応じた大きさで省エネ行動識別領域を設けることが可能になる。例えば、ある場所においては複数の省エネ行動が考えられ、当該複数の省エネ行動を省エネ行動ナビゲーションシートの中にコンパクトに表したい場合がある。また、各省エネ行動によって節約できる電力量の大きさやその場所での電力消費量が他の場所と比較して大きい場合もある。これらの場合、上記構成とすることで、各省エネ行動を示す各省エネ行動識別領域をスペース的に無理なく表示することが可能になり、さらに表の視認性が良くなる。
【００９０】
<効果>
以上のような構成をとる本発明によって、実施例１から４のいずれか一の効果に加えて、複数の省エネ行動をスペース的に無理なく表示することができ、表の視認性がより良くなる。
【符号の説明】
【００９１】
０１００…省エネ行動ナビゲーションシート、０１０１…第一場所軸、０１０２…第一時間軸、０１０３…第一省エネ行動配置領域、０１０４…第一省エネ行動識別領域、０１０５…待機消費電力量、０２００…省エネ行動ナビゲーションシート作成装置、０２０１…第一場所量保持部、０２０２…第一場所行動保持部、０２０３…第一行動量保持部、０２０４…第一省エネ行動配置領域作成部、０２０５…第一省エネ行動識別領域表示部、０３０１…ＣＰＵ、０３０２…メインメモリ、０３０３…補助記憶装置、０３０４…ディスプレイ装置、０３０５…通信装置、０３０６…プリンタ装置、０３０７…操作入力装置、０３０８…システムバス、１５００…省エネ行動ナビゲーションシート、１５０２…第五時間軸、１５０３…第五省エネ行動配置領域、１５０４…第一省エネ行動識別領域、１５０５…待機消費電力量
【図１】
0003183653.tif 000003
【図２】
0003183653.tif 000004
【図３】
0003183653.tif 000005
【図４】
0003183653.tif 000006
【図５】
0003183653.tif 000007
【図６】
0003183653.tif 000008
【図７】
0003183653.tif 000009
【図８】
0003183653.tif 000010
【図９】
0003183653.tif 000011
【図１０】
0003183653.tif 000012
【図１１】
0003183653.tif 000013
【図１２】
0003183653.tif 000014
【図１３】
0003183653.tif 000015
【図１４】
0003183653.tif 000016
【図１５】
0003183653.tif 000017